(57)【要約】【課題】標準サイズに対し布２ｍで洋服を作製したいが、人の体型は様々なので２ｍ以上の布が必要になります。【解決手段】布を１．５ｍから２ｍ増やす事で、体型に合わせて洋服は作製できます。【選択図】図１２
2013044082.tif 000002
【特許請求の範囲】
【請求項１】
洋服を作製する為にどれだけ短縮出来るか考えた結果、型紙の代わりに折り紙を折る様に布を折り、どれだけの角度で折ると裾のラインが自然に見えるか考え、縫い目の箇所も出来るだけ少なく済む様にしました。アイロンの折り目だけで洋服の型を作る作製図。
【請求項２】
標準サイズで、布幅１ｍから１．１ｍ、長さ２ｍを目安に出来る様考えた洋服の作製図。
【発明の詳細な説明】
【技術分野】
【０００１】  布の形状を使いアイロンの折り目だけで洋服の型を作製する。
【背景技術】
【０００２】  通常、洋服を作る場合型紙を利用します。その型紙と手間を省略しました。
【発明の概要】
【発明が解決しようとする課題】
【０００３】  洋服の製図、製作は図で説明します。はじめに発明のヒントになった布の形状と人の体型を説明させて戴きます。洋服を作製する際に必要な事を作製の順番にポイントを説明します。Ｐ１、人の体型は身長の高さ、胸、腋の下から裾までの長さによりますが５０ｃｍから１ｍまで図１Ａ部分例外は改善策１で最後に説明させて戴きます。Ｐ２、バスト、ウエスト、ヒップのサイズが必要ですが一点挙げるなら、サイズの中で１番長い部分を計る。例を挙げると、洋服が体にフイットするデザインで、ファスナー使用以外はサイズが極端な凹凸の無い場合、前側の胸の長さ＋肩幅×２、図１Ｂ部分、今回布の長さ２ｍ、バスト、ウエスト、ヒップのサイズは１ｍまでです。例外は改善策２最後に説明します。【０００４】  図１をＸ：Ｙで表すと１：２です。図２はキレイなシルエットです５：７表せます。式は省略します。５：７の立体模型も参考にして下さい。
【発明が解決するための手段】
【０００５】  それでは、発明商品の説明をします。図で順番に説明させて戴きます。布は、２ｍ正確に裁断した布を使って下さい。簡単に作る為には線を付ける為にアイロンを使用。図３、布の端を上下にして四つ折りにします。図４、四つに折った布を直角三角形に折ります。図５、布を元に戻し下の裾を三角形に折りまた半分折り、二分の一だけアイロンで折り目を付けます。図６、折った部分のみ裁断し広げると図の様になります。図７、縫いしろ１ｃｍから２ｃｍに決め２ヵ所縫うだけです。図８、簡単に裾の始末をする為に、市販の裾上げテープを使う。肩ひもを付け、胸元にゴムやレースでギャザーを付けたり、ウエストラインを付ける。いろいろな素材で、デザインもドンドン変わります。ファスナーを使うと手間は、掛かりますがシルエットはキレイですし、裾もレースを使うと可愛いです。
【０００６】  改善策１、身長のとても高い方や裾を１ｍ以上長くされる方は、１．５ｍ増し、図９の様にして１ヵ所縫います。逆に小柄で裾を短めの方は図１０の様に折り目を付け裁断します。その時裁断した側は下です。裾にして上の余分の始末を出さない事。改善策２、バスト、ウエスト、ヒップがどうしても１ｍ以上必要な方は２つの方法が有ります。図１１布の長さはそのままで、折り目を三つ折りにして直角三角形を戻して、下は二つ折りで三角形の半分を折ります。サイズは１ｍから１，２ｍまでのサイズです。着心地を良くする為には全体の長さを２ｍ以上増して下さい。全体の長さは３ｍから４ｍで、サイズは１，５ｍから２ｍです。図１２後の折り方は同じです。
【発明の効果】
【０００７】最後に、自分サイズで２ｍの布だけで作りました。図１３を参考にして下さい。余分な材料が無い分ウエストのベルトと中の紐、胸のギャザーと紐、肩紐と縫う量は増えます。しかし手作りの利点はたくさん有ります。今回、私は夏の暑さ対策としてとても生地薄い布を選び、肌触りが良く素材が良い布で、いろいろ作って毎日ルームウエアーとして着ています。デザインや、柄もいろいろな材料で楽しめます。布２ｍで、￥５８０、￥６８０で購入できました。手作りはコストを抑える事も大事なので加えて金額を提示します。
【図１】
2013044082.tif 000003
【図２】
2013044082.tif 000004
【図３】
2013044082.tif 000005
【図４】
2013044082.tif 000006
【図５】
2013044082.tif 000007
【図６】
2013044082.tif 000008
【図７】
2013044082.tif 000009
【図８】
2013044082.tif 000010
【図９】
2013044082.tif 000011
【図１０】
2013044082.tif 000012
【図１１】
2013044082.tif 000013
【図１２】
2013044082.tif 000014
【図１３】
2013044082.tif 000015
【図１４】
2013044082.tif 000016
【手続補正書】
【提出日】平成23年12月15日(2011.12.15)
【手続補正１】
【補正対象書類名】明細書
【補正対象項目名】全文
【補正方法】変更
【補正の内容】
【発明の詳細な説明】
【技術分野】
【０００１】  この発明は、布の形状を使いアイロンの折り目だけで洋服の型を製作する。
【背景技術】
【０００２】  従来、洋服を作る場合は、型紙にサイズを写しそれをまた布に写す工程が有ります。
【発明の開示】
【発明を解決しようとする課題】
【０００３】  従来、手芸の手作りの醍醐味は自分の創造した物を作る事その中でも洋服はそれぞれのサイズに合わせなければなりません。そしてその為には自分に合う型紙、それを布に写す工程が必要です。
本発明は、以上の欠点を無くす為になされたものである。
【課題を解決するための手段】
【０００４】  布は通常２ｍとします。幅は販売している布は１ｍ〜１．１ｍの物です。これを四つ折り（１）にし、直角三角形（２）に折りアイロンで折り目を付け、布を元に戻し下の裾を三角形に折りまた半分に折り（３）、二分の一だけアイロンで折る目を付ける。
本発明は、以上の構成よりなる洋服の作製図である。
【発明の効果】
【０００５】  洋服を好きな柄、好きな素材で作りたいと思ってから出来るまでの工程で手間と時間の短縮をする事によって、初心者の方でも手芸を楽しんでもらえます。
【発明を実施するための形態】
【０００６】  以下、本発明を実施する為の最良の形態について説明する。
布２ｍを四つ折り（１）にし、直角三角形（２）に折りアイロンで折り目を付け、布を元に戻し下の裾（４）を三角形に折りまた半分に折り（３）、二分の一だけアイロンで折り目を付けます。
本発明は、以上のような構造である。
これを折り目に沿って布をカットします。その時、布２ｍ直角三角形（２）に折りアイロンで折り目を付けその後、折り目の部分をカットするのですが、長さが半分に成ると言う事と布の幅が服の丈（５）に成ります。布の下の部分は裾（４）に成るので角は曲線（６）に出来るだけカットする。
【図面の簡単な説明】
【０００７】
【図１】  本発明の展開図である。
【図２】  本発明の拡大図である。
【図３】  本発明の布をカットした左側面図である。
【符号の説明】
【０００８】１  布２ｍを四つ折り
２  直角三角形
３  三角形に折りまた半分に折り
４  裾
５  布の幅が服の丈
６  角は曲線
【手続補正２】
【補正対象書類名】図面
【補正対象項目名】全図
【補正方法】変更
【補正の内容】
【図１】
2013044082.tif 000017
【図２】
2013044082.tif 000018
【図３】
2013044082.tif 000019